(57)【特許請求の範囲】
【請求項１】
車体前部のエンジンルームの上方に配置される車両用フロントフードであって、
当該車両用フロントフードの外面を構成し開口部を有するフードアウタパネルと、
前記フードアウタパネルの内側に配置され、該フードアウタパネルの開口部に対応する領域に開口部を有し当該車両用フロントフードの内面を構成するフードインナパネルと、
前記フードアウタパネルの開口部に対応する位置に通気孔を有するエアインテーク形状を有し該開口部の縁を覆うように前記フードアウタパネルに取り付けられる外装部材と、
前記外装部材の内面に取り付けられ前記通気孔を塞ぐ車幅方向にわたる壁面部を少なくとも有する内装部材とを備え、
前記内装部材は、その壁面部の裏側から車体後方に向かって立設するリブを有し、
前記リブの車両前後方向の長さは、車体側方から見た断面視において前記フードインナパネルと前記エンジンルーム内に配置される構造物の前端との間隔が所定距離未満の箇所では、該間隔が所定距離以上の箇所よりも車体後方に延長されていることを特徴とする車両用フロントフード。
【請求項２】
前記フードアウタパネルの開口部の前縁と後縁とは高低差を有し、
前記外装部材は、前記フードアウタパネルの開口部の前縁近傍から車体後方に向かって延びる前方面と、該開口部の後縁近傍から車体前方に向かって延びる後方面とを有し、
前記内装部材は、前記壁面部の下端から延長されて車高方向において前記外装部材の前方面の下方且つ前記フードインナパネルの上方に配置される底面部と、該壁面部の上端から車体後方に向かって延びるフランジとを更に有し、
前記内装部材は、前記フランジの後端近傍に前方に向かって切り欠いた切欠部を有し、前記底面部の前端近傍に固定具を挿通される内装側挿通穴を有し、
前記外装部材は、前記切欠部に対応する位置に下方に向かって突出した爪部を有し、前記内装側挿通穴に対応する位置に前記固定具を挿通される外装側挿通穴を有し、
前記内装部材は、前記爪部を前記切欠部に突き当てることにより後端近傍が前記外装部材に固定され、前記外装側挿通穴および前記内装側挿通穴に前記固定具を挿通することにより前端近傍が該外装部材に固定されることを特徴とする請求項１に記載の車両用フロントフード。
【請求項３】
前記外装部材は、前記前方面の背面から下方に立設する爪部を有し、
前記内装部材は、前記底面部において前記外装部材の爪部に対応する位置に爪受穴を有し、
前記爪部を前記爪受穴に嵌め込むことにより前記内装部材が前記外装部材に固定されていることを特徴とする請求項２に記載の車両用フロントフード。
【発明の詳細な説明】
【技術分野】
【０００１】
本発明は、車体前部においてエンジンルームの上方に配置される車両用フロントフードに関するものである。
【背景技術】
【０００２】
自動車等の車両では、車体前部にエンジンルームが設けられていて、このエンジンルームの上方には車両用フロントフード（以下、単にフロントフードと称する）が配置されている。このフロントフードには、車種によってエアインテークが設定されることがある。エアインテークは、フロントフードに設けられた開口部に取り付けられ、車両のエンジンルーム内に設けられたダクトと開口部とを接続してエンジンルーム内に外気を導入する部材である。
【０００３】
上述したフロントフードには、車両と被衝突体との衝突時に被衝突体が乗り上げることがあり、特に被衝突体が歩行者であった場合、フロントフードには歩行者の頭部が接触することがある。このため、フロントフードは、変形により衝突エネルギーを吸収して、被衝突体（特に歩行者）への衝撃荷重が緩和されるように設計されている。故に、フロントフードにエアインテークを設定する場合においても、それを設定していない場合と同等程度の衝撃エネルギー吸収性能を備えることができるようにする必要があった。換言すれば、エアインテークにおいても高い衝撃エネルギー吸収性能が求められている。
【０００４】
そこで、例えば特許文献１では、フード上に配置されるフードエアインテーク（エアインテーク）を、上壁部、下壁部および側壁部を有する矩形筒状とし、その側壁部に薄肉部を形成している。特許文献１によれば、エアインテークの上壁部に当接した被衝突体がかかる上壁部を下方へ押圧した際に、薄肉部を起点にして側壁部ひいてはエアインテークが容易に変形するため、被衝突体に作用する衝撃荷重を低減できるとしている。
【０００５】
ここで、上述したようにエアインテークは本来エンジンルーム内への外気の導入を目的とした部材（空気導入部材）であるが、近年では、外気の導入を必要としない場合であっても、エアインテーク形状の外装部材（ダミーのエアインテーク）が車体前部のデザインとして採用される傾向がある。このような場合、エアインテークを通常通り空気導入部材として用いる場合と異なり、ダクト等の周辺部材の剛性を利用した剛性の向上が困難である。このため、ダミーのエアインテークを採用する場合には、その内面に内装部材を取り付けることにより剛性を向上させていた。
【先行技術文献】
【特許文献】
【０００６】
【特許文献１】特開２００４−２９１８１３号公報
【発明の概要】
【発明が解決しようとする課題】
【０００７】
ところで、車体前部のエンジンルームに配置される構造物の中でも特にエンジン（エンジン本体）は非常に硬いため、エンジンに衝突すると被衝突体が大きなダメージを受けてしまう。このため、エンジン近傍では、フロントフードとエンジンとの距離を十分に確保することが望まれる。しかしながら、フロントフードの意匠や、エンジンルーム内における構造物のレイアウト等による制約が生じる場合、フロントフードとエンジンとの距離を十分に確保できるとは限らない。このような場合、エンジン近傍に配置されるエアインテークやそれに取り付けられる内装部材において衝撃を吸収するための構造を設けることが好ましいが、単にエアインテークや内装部材の全体に衝撃吸収構造を設けると、それらの部材の重量の増加やコストの増大を招いてしまう。
【０００８】
本発明は、このような課題に鑑み、重量の増加やコストの増大を最小限に留めながらも、衝突時の衝撃を良好に吸収することができ、被衝突体への衝撃荷重を緩和することが可能な車両用フロントフードを提供することを目的としている。
【課題を解決するための手段】
【０００９】
上記課題を解決するために、本発明にかかる車両用フロントフードの代表的な構成は、車体前部のエンジンルームの上方に配置される車両用フロントフードであって、当該車両用フロントフードの外面を構成し開口部を有するフードアウタパネルと、フードアウタパネルの内側に配置され、フードアウタパネルの開口部に対応する領域に開口部を有し当該車両用フロントフードの内面を構成するフードインナパネルと、フードアウタパネルの開口部に対応する位置に通気孔を有するエアインテーク形状を有し開口部の縁を覆うようにフードアウタパネルに取り付けられる外装部材と、外装部材の内面に取り付けられ通気孔を塞ぐ車幅方向にわたる壁面部を少なくとも有する内装部材とを備え、内装部材は、その壁面部の裏側から車体後方に向かって立設するリブを有し、リブの車両前後方向の長さは、車体側方から見た断面視においてフードインナパネルとエンジンルーム内に配置される構造物の前端との間隔が所定距離未満の箇所では、間隔が所定距離以上の箇所よりも車体後方に延長されていることを特徴とする。
【００１０】
上記構成によれば、内装部材において、エンジンルーム内に配置される構造物、例えばエンジンの前端とフードインナパネルとの間隔が所定距離未満の箇所、すなわちエンジンとフードインナパネルとの間隔が短い箇所ではリブが長めに設定される。これにより、被衝突体との衝突時にリブとエンジンとを他の箇所よりも早期に接触させることができ、この接触によりリブが変形して潰れることで被衝突体からの衝撃エネルギーを吸収し、被衝突体への衝撃荷重を緩和することが可能である。一方、エンジンの前端とフードインナパネルとの間隔が所定距離以上の箇所、すなわちエンジンとフードインナパネルとの間隔が長い箇所ではリブが短めに設定される。これにより、エンジンの前端とフードインナパネルとの間隔が十分に保たれている箇所では、軽量化およびコストダウンを図ることができ、且つ型構造を簡素化することができる。したがって上記構成によれば、重量の増加やコストの増大を最小限に留めながらも、衝突時の衝撃を良好に吸収することができ、被衝突体への衝撃荷重を緩和することが可能となる。
【００１１】
上記フードアウタパネルの開口部の前縁と後縁とは高低差を有し、外装部材は、フードアウタパネルの開口部の前縁近傍から車体後方に向かって延びる前方面と、開口部の後縁近傍から車体前方に向かって延びる後方面とを有し、内装部材は、壁面部の下端から延長されて車高方向において外装部材の前方面の下方且つフードインナパネルの上方に配置される底面部と、壁面部の上端から車体後方に向かって延びるフランジとを更に有し、内装部材は、フランジの後端近傍に前方に向かって切り欠いた切欠部を有し、底面部の前端近傍に固定具を挿通される内装側挿通穴を有し、外装部材は、切欠部に対応する位置に下方に向かって突出した爪部を有し、内装側挿通穴に対応する位置に固定具を挿通される外装側挿通穴を有し、内装部材は、爪部を切欠部に突き当てることにより後端近傍が外装部材に固定され、外装側挿通穴および内装側挿通穴に固定具を挿通することにより前端近傍が外装部材に固定されるとよい。
【００１２】
かかる構成によれば、内装部材は、後端近傍よりも前端近傍において強固に外装部材に固定される。このため、被衝突体との衝突によって外装部材が変形した際に、内装部材の後端近傍の外装部材との固定点が外れ、内装部材は前端近傍の固定点を中心として下方に回転するように移動する。これにより、上述したリブをより速やかにエンジン（エンジンルーム内の構造物）と接触させ変形させることができるため、衝撃エネルギー吸収性能を更に向上させることが可能となる。
【００１３】
上記外装部材は、前方面の背面から下方に立設する爪部を有し、内装部材は、底面部において外装部材の爪部に対応する位置に爪受穴を有し、爪部を爪受穴に嵌め込むことにより内装部材が外装部材に固定されているとよい。これにより、内装部材と外装部材の前方部での固定がさらに強固になる。
【発明の効果】
【００１４】
本発明によれば、重量の増加やコストの増大を最小限に留めながらも、衝突時の衝撃を良好に吸収することができ、被衝突体への衝撃荷重を緩和することが可能な車両用フロントフードを提供することができる。
【図面の簡単な説明】
【００１５】
【図１】本実施形態にかかる車両用フロントフードを示す斜視図である。
【図２】図１のＡ−Ａ断面図である。
【図３】外装部材の外観斜視図である。
【図４】内装部材の外観斜視図である。
【図５】内装部材を取り付けられた外装部材の後方斜視図である。
【図６】図５の断面図である。
【図７】被衝突体の衝突時の外装部材および内装部材の変形について説明する図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
図１は、本実施形態にかかる車両用フロントフードを示す斜視図である。図２は、図１のＡ−Ａ断面図である。図１に示す車両用フロントフード（以下、フロントフード１００と称する）は、車体前部においてエンジンルーム（不図示）の上方に配置される。図２に示すように、フロントフード１００は、フードアウタパネル（以下、アウタパネル１１０と称する）と、フードインナパネル（以下、インナパネル１２０と称する）を備える。
【００１８】
アウタパネル１１０は、フロントフード１００の外面を構成する部材である。図２に示すように、このアウタパネル１１０の内側には、フロントフード１００の内面を構成するインナパネル１２０が配置されている。本実施形態では、図１および図２に示すようにアウタパネル１１０に開口部１１０ａが形成されていて、この開口部１１０ａには、その縁を覆うように外装部材１３０が取り付けられている。また図２に示すように、インナパネル１２０には、アウタパネル１１０の開口部１１０ａに対応する領域に開口部１２０ａが形成されている。
【００１９】
図３は、外装部材１３０の外観斜視図であり、図３（ａ）は外装部材１３０の前方斜視図であり、図３（ｂ）は外装部材１３０の後方斜視図である。本実施形態の外装部材１３０は、車体前部（不図示）のデザインとして設けられたダミーのエアインテークである。図２および３（ａ）に示すように、外装部材１３０は、アウタパネル１１０の上面から突出するように配置されて、アウタパネル１１０の開口部１１０ａに対応する位置に通気孔１３２を有するエアインテーク形状である。
【００２０】
図２および図３に示すように、本実施形態の外装部材１３０は、アウタパネル１１０の開口部１１０ａの前縁１１２近傍から車体後方に向かって延びる前方面１３４ａと、開口部１１０ａの後縁１１４近傍から車体前方に向かって延びる後方面１３４ｂとを有する。これらの前方面１３４ａおよび後方面１３４ｂは、側方面１３６ａ・１３６ｂによって連続している。
【００２１】
車高方向において、前方面１３４ａおよび後方面１３４ｂとの間には、仕切壁１３８ａ・１３８ｂ・１３８ｃが車幅方向に複数設けられている。これらの仕切壁１３８ａ〜１３８ｃにより、外装部材１３０の車高方向での剛性が向上され、通気孔１３２が通気孔１３２ａ・１３２ｂ・１３２ｃ・１３２ｄに分割される。なお、仕切壁の数は例示にすぎず、任意に変更することが可能である。
【００２２】
図３（ｂ）に示すように、外装部材１３０では、前方面１３４ａの背面に、そこから下方に立設する爪部１３７ａ・１３７ｂ・１３７ｃ・１３７ｄが形成されている。同様に、後方面１３４ｂの背面には、後述する内装部材１４０に形成される切欠部１４２ｅ〜１４２ｈに対応する位置に、下方に向かって突出した爪部１３７ｅ・１３７ｆ・１３７ｇ・１３７ｈが形成されている。また前方面１３４ａの背面には、後述する内装部材１４０に形成されるスクリュ穴１４３ａ・１４３ｂ（内装側挿通穴）に対応する位置に、固定具であるスクリュ１６０（図６（ｂ）参照）を挿通される外装側挿通穴となるボス１３９ａ・１３９ｂが形成されている。
【００２３】
更に、前方面１３４ａの背面には、外装部材１３０を車体に固定する際に用いられるクリップ１５０（図７参照）が取り付けられるやぐら形状のボス１３９ｃが設けられている。クリップ１５０が挿通される車体側（インナパネル１２０側）の穴１２０ｂは前後方向の寸法が長い長穴形状になっている。これにより、車体に固定する際に外装部材１３０の仮止めができる。また同じく前方面１３４ａの背面には、外装部材１３０を車体に固定する際に用いられる固定具であるスクリュ（不図示）を挿通されるボス１３９ｄ・１３９ｅ・１３９ｆ・１３９ｇ・１３９ｈ・１３９iが設けられている。なお、爪部１３７ａ〜１３７ｈおよびボス１３９ａ〜１３９ｉについては後に詳述する。また爪部およびボスの数はこれに限定するものではなく、適宜変更可能である。
【００２４】
ここで、上述した外装部材１３０を、その本来の趣旨である空気導入部材、すなわちエアインテークとして用いる場合には、走行中の外気（不図示）が、図３（ａ）に示す破線矢印の方向から通気孔１３２を通過し、エンジンルーム（不図示）内に導入される。これに対し、本実施形態では外装部材１３０はダミーのエアインテークとして用いられるため、通気孔１３２から外気を導入する必要がない。このため外装部材１３０の内面には内装部材１４０が取り付けられ、通気孔１３２が塞がれる。
【００２５】
図４は、内装部材１４０の外観斜視図であり、図４（ａ）は内装部材１４０の前方斜視図であり、図４（ｂ）は内装部材１４０の後方斜視図である。図４に示すように、内装部材１４０は、外装部材１３０の通気孔１３２（図３参照）に対向してかかる通気孔１３２を塞ぐように車幅方向にわたる壁面部１４０ａを有する。
【００２６】
図２に示すように、本実施形態の壁面部１４０ａは、外装部材１３０の後方面１３４ｂの下方から車高方向に延びる縦壁である。詳細には、本実施形態のアウタパネル１１０は、その開口部１１０ａの前縁１１２と後縁１１４とに高低差を有し、その高低差に対応するように、外装部材１３０の前方面１３４ａおよび後方面１３４ｂも高低差を有する。このような場合、前方面１３４ａおよび後方面１３４ｂの車高方向の空間に通気孔１３２が設けられているため、壁面部１４０ａを縦壁とすることにより通気孔１３２を好適に塞ぐことができる。
【００２７】
また図２に示すように、内装部材１４０では、壁面部１４０ａの下端から延長されて、車高方向において外装部材１３０の前方面１３４ａの下方且つインナパネル１２０の上方に配置される底面部１４０ｂが設けられている。この底面部１４０ｂおよび壁面部１４０ａの側縁には、車体前方に張り出すフランジ１４０ｃおよび１４０ｄが形成されている。これにより、内装部材１４０の縁が外装部材１３０の内面に沿う形状となるためそれらの間の隙間を低減することができ、且つ内装部材１４０の剛性の向上が図れる。
【００２８】
図４に示すように、底面部１４０ｂには、外装部材１３０の爪部１３７ａ〜１３７ｄに対応する位置に爪受穴１４２ａ・１４２ｂ・１４２ｃ・１４２ｄが形成されている。また底面部１４０ｂの前端近傍には、外装部材１３０への取付時に固定具であるスクリュ１６０（図６（ｂ）参照）を挿通される内装側挿通穴としてスクリュ穴１４３ａ・１４３ｂが形成されている。一方、本実施形態の内装部材１４０では、壁面部１４０ａの上端から車体後方に向かって延びるフランジ１４１が設けられていて、このフランジ１４１の後端近傍には、前方に向かって切り欠いた切欠部１４２ｅ・１４２ｆ・１４２ｇ・１４２ｈが形成されている。
【００２９】
図５は、内装部材１４０を取り付けられた外装部材１３０の後方斜視図である。図６は、図５の断面図であり、図６（ａ）は図５のＢ−Ｂ断面図であり、図６（ｂ）は図５のＣ−Ｃ断面図である。なお、理解を容易にするために、図１に示したＡ−Ａ断面の位置を図５においても示し、図６（ａ）ではアウタパネル１１０およびインナパネル１２０を図示している。
【００３０】
上述した爪部１３７ａ〜１３７ｄを爪受穴１４２ａ〜１４２ｄに嵌め込み、爪部１３７ｅ〜１３７ｈ（図３（ｂ）参照）を切欠部１４２ｅ〜１４２ｈに嵌め込むと、図５に示すように外装部材１３０の背面に内装部材１４０が取り付けられる。このとき、図６（ａ）に示すように、内装部材１４０は、爪受穴１４２ａ〜１４２ｄ（図６（ａ）では爪受穴１４２ｂを図示）が爪部１３７ａ〜１３７ｄ（図６（ａ）では爪部１３７ｂを図示）に、切欠部１４２ｅ〜１４２ｈ（図６（ａ）では切欠部１４２ｆを図示）が爪部１３７ｅ〜１３７ｈ（図６（ａ）では爪部１３７ｆを図示）に突き当てられた状態で固定されている。
【００３１】
そして、図６（ｂ）に示すように、スクリュ穴１４３ａ・１４３ｂ（図６（ｂ）ではスクリュ穴１４３ａを図示）およびボス１３９ａ・１３９ｂ（図６（ｂ）ではボス１３９ａを図示）にスクリュ１６０を挿入することにより、外装部材１３０に内装部材１４０が固定される。すなわち本実施形態では、内装部材１４０は、後端近傍では爪部１３７ｅ〜１３７ｈを切欠部１４２ｅ〜１４２ｈに突き当てることにより外装部材１３０に固定され、前端近傍では、爪部１３７ａ〜１３７ｄを爪受穴１４２ａ〜１４２ｄに嵌め込むことに加え、ボス１３９ａ・１３９ｂ（外装側挿通穴）およびスクリュ穴１４３ａ・１４３ｂ（内装側挿通穴）にスクリュ１６０（固定具）を挿通することにより外装部材１３０に固定されている。これにより、内装部材１４０は、後端近傍よりも前端近傍において強固に外装部材１３０に固定されるため、後述するように被衝突体との衝突時に内装部材１４０に形成されているリブ１４４ａ・１４４ｂとエンジンルーム内の構造物（本実施形態においてはエンジン１７０）とを速やかに接触させることが可能となる。
【００３２】
上述したように内装部材１４０が取り付けられた後、外装部材１３０がフロントフード１００（アウタパネル１１０およびインナパネル１２０）に取り付けられる。まず、やぐら形状のボス１３９ｃにおいて、クリップ１５０によって外装部材１３０の前方面１３４ａ（前部）がインナパネル１２０の前後方向に長い長穴１２０ｂに挿通される。これにより、外装部材１３０がインナパネル１２０に仮止めされる。また、爪部１３７ｅ〜１３７ｈにおいて、車両後方側に略Ｌ字形状のＬ字部１３７ｉ・１３７ｊ・１３７ｋ・１３７ｌが設けられている（図３（ｂ）参照）。これにより、図６（ａ）に示すようにＬ字部１３７ｉ〜１３７ｌ（図６（ｂ）ではＬ字部１３７ｊを例示）がアウタパネル１１０の後縁１１４に突き当てられる。
【００３３】
そして、ボス１３９ｄ〜１３９iにスクリュ（不図示）が挿通されることにより、図２に示すように外装部材１３０の前端近傍がアウタパネル１１０の前縁１１２に固定される。一方、外装部材１３０の後端近傍では、上述したように爪部１３７ｅ〜１３７ｈのＬ字部１３７ｉ〜１３７ｌが、突き当てられたアウタパネル１１０の後縁１１４をくわえ込むことにより、かかるアウタパネル１１０に固定される（図６（ａ）参照）。
【００３４】
ここで、上記説明した内装部材１４０の背面には、図４（ｂ）に示すようにリブが形成されている。詳細には、図２に示すように、内装部材１４０の壁面部１４０ａには、その背面（裏側）から、車体後方に向かうリブ１４４ａが立設している。これにより、内装部材１４０ひいてはそれが取り付けられる外装部材１３０の剛性の向上を図ることができる。また図４（ｂ）に示すように本実施形態の壁面部１４０ａの背面には、リブ１４４ａに加え、それと交差するリブ１４４ｂが車体後方に向かうように立設している。すなわち、壁面部１４０ａの背面には、２方向のリブ１４４ａ・１４４ｂからなる格子状のリブが形成されている。これにより、複数の方向からの衝撃に対する強度を得ることができ、より一層高い剛性を得ることが可能となる。
【００３５】
なお、本実施形態では、３行のリブ１４４ａおよび１３列のリブ１４４ｂを壁面部１４０ａに設けたが、この数は一例であり、限定するものではない。これらのリブ１４４ａおよび１４４ｂの数は任意に設定可能であり、その数を変更することにより、変形容易性および剛性のバランスを必要に応じて容易に調節することが可能である。また本実施形態ではリブ１４４ａ・１４４ｂは格子状に設けられているが、これにおいても限定されず、ハニカム構造や円柱型等の他の形状を採用することも可能である。
【００３６】
更に本実施形態では、リブ１４４ａ・１４４ｂの車両前後方向の長さを、車体側方から見た断面視においてインナパネル１２０とエンジンルーム内に配置される構造物の前端との間隔に応じて異ならせている。詳細には、リブ１４４ａ・１４４ｂの車両前後方向の長さは、車体側方から見た断面視においてインナパネル１２０とエンジンルーム内に配置される構造物の前端との間隔が所定距離未満の箇所では、その間隔が所定距離以上の箇所よりも車体後方に延長されている。以下、エンジンルーム内に配置される構造物としてエンジン１７０（図２参照）を例示して説明する。
【００３７】
まず図４（ｂ）に示すように、本実施形態の内装部材１４０は、車幅方向において、領域Ｄ、領域Ｅ１、領域Ｅ２、領域Ｆ１、領域Ｆ２の５つの領域に分けられる。これらの領域のうち、領域Ｄは、エンジン１７０の最も突出している箇所近傍に配置される領域であり、インナパネル１２０とエンジン１７０の前端との間隔Ｌ１（図２参照）は所定距離未満である。領域Ｅ１・Ｅ２は、エンジン１７０がさほど突出していない領域近傍に配置される領域であり、インナパネル１２０とエンジン１７０の前端との間隔Ｌ２（図６（ａ）参照）は所定距離以上である。そして、領域Ｆ１・Ｆ２は、インナパネル１２０の後方にエンジン１７０が存在しない箇所である。
【００３８】
上記の領域Ｄではリブ１４４ａ・１４４ｂが領域Ｅ１・Ｅ２よりも車体後方に延長されている。すなわち領域Ｄのリブ１４４ａの車両前後方向の長さ（図２参照）はそれぞれ、領域Ｅ１・Ｅ２のリブ１４４ａの長さ（図６（ａ）参照）よりも長く設定されている。また領域Ｆ１・Ｆ２では、リブそのものが設けられていない（図４（ｂ）参照）。
【００３９】
図７は、被衝突体の衝突時の外装部材１３０および内装部材１４０の変形について説明する図である。フロントフード１００の上方から被衝突体（不図示）が衝突し、図７（ａ）に示すように外装部材１３０に白抜き矢印方向の衝撃が加わると、図７（ｂ）に示すように、外装部材１３０の後方面１３４ｂが下方に潰れるように変形する。すると、変形した外装部材１３０によって押されることにより内装部材１４０が車体後方に向かって倒れ、図７（ｃ）に示すように内装部材１４０の壁面部１４０ａの背面に形成されたリブ１４４ａ・１４４ｂ（図７ではリブ１４４ａのみ図示）がエンジン１７０に接触する。これにより、リブ１４４ａ・１４４ｂが変形して潰れることで被衝突体からの衝撃エネルギーが吸収され、被衝突体への衝撃荷重が緩和される。
【００４０】
このとき、上述したように本実施形態では、内装部材１４０において、エンジン１７０（エンジンルーム内に配置される構造物）の前端とインナパネル１２０との間隔が所定距離未満の箇所（領域Ｄ）ではリブ１４４ａ・１４４ｂが長めに設定されている。これにより、フロントフード１００への被衝突体の衝突時に、領域Ｄにおいて、領域Ｅ１・Ｅ２よりも早期にリブ１４４ａ・１４４ｂをエンジン１７０と接触させることができる。したがって、領域Ｄのようなエンジン１７０とインナパネル１２０との間隔が短い箇所において、迅速且つ確実に衝撃エネルギーが吸収され、被衝突体への衝撃荷重を効果的に緩和することが可能である。
【００４１】
特に本実施形態では、上述したように内装部材１４０の後端近傍は、爪部１３７ｅ〜１３７ｈを切欠部１４２ｅ〜１４２ｈに突き当てることによる外装部材１３０への固定のみである。このため、外装部材１３０の変形によって内装部材１４０の後端と外装部材１３０との固定が外れやすくなっていて、被衝突体からの衝撃によって内装部材１４０が前端近傍の固定点を中心として下方に回転するように移動する。これにより、リブ１４４ａ・１４４ｂをより速やかにエンジン１７０と接触させて変形させることができるため、衝撃エネルギー吸収性能を更に向上させることができる。
【００４２】
一方、内装部材１４０において、エンジン１７０の前端とインナパネル１２０との間隔が所定距離以上の箇所（領域Ｅ１・Ｅ２）では、リブ１４４ａ・１４４ｂが短めに設定されることにより、エンジン１７０の前端とインナパネル１２０との間隔が十分に保たれている箇所では、リブ１４４ａ・１４４ｂによる重量化が抑制される。したがって、軽量化やコストダウン、型構造の簡素化を図ることが可能となる。更に本実施形態では、後方にエンジン１７０が配置されていない箇所である領域Ｆ１・Ｆ２においてリブを廃止しているため、上述した効果をより高めることができる。
【００４３】
以上説明したように、本実施形態の車両用フロントフード（フロントフード１００）によれば、エンジン１７０（エンジンルーム内に配置される構造物）の前端とインナパネル１２０との間隔が狭い箇所に設けられる長めのリブにより、良好な衝撃エネルギー吸収性能を得ることができる。一方、エンジン１７０の前端とインナパネル１２０との間隔が広い箇所に設けられる短めのリブにより、リブによる重量化を抑制することができる。したがって、重量の増加やコストの増大を最小限に留めながらも、衝突時の衝撃を良好に吸収することができ、被衝突体への衝撃荷重を緩和することが可能となる。
【００４４】
なお、上述した実施形態においては、ダミーとして用いられる外装部材１３０に取り付けられる内装部材１４０にリブを設ける場合について詳述した。これに対し、外装部材１３０を空気導入部材として用いる場合、通気孔１３２を塞ぐ内装部材１４０は当然にして取り付けられず、車体前部に配置されたインタークーラに繋がるダクト（ともに不図示）が外装部材１３０の背面に取り付けられる。このような場合、ダクトにおいて、外装部材１３０に取り付けられる側に設けられる開口部の周囲、またはその開口部を塞がない程度に開口部の内部にリブを設ければ、本実施形態の壁面部１４０ａに形成されたリブ１４４ａ・１４４ｂと同様の効果が得られる。
【００４５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、車体前部においてエンジンルームの上方に配置される車両用フロントフードに利用することができる。
【符号の説明】
【００４７】
１００…フロントフード、１１０…アウタパネル、１１０ａ…開口部、１１２…前縁、１１４…後縁、１２０…インナパネル、１２０ａ…開口部、１３０…外装部材、１３２…通気孔、１３２ａ…通気孔、１３２ｂ…通気孔、１３２ｃ…通気孔、１３２ｄ…通気孔、１３４ａ…前方面、１３４ｂ…後方面、１３６ａ…側方面、１３６ｂ…側方面、１３７ａ…爪部、１３７ｂ…爪部、１３７ｃ…爪部、１３７ｄ…爪部、１３７ｅ…爪部、１３７ｆ…爪部、１３７ｇ…爪部、１３７ｈ…爪部、１３７ｉ…Ｌ字部、１３７ｊ…Ｌ字部、１３７ｋ…Ｌ字部、１３７ｌ…Ｌ字部、１３８ａ…仕切壁、１３８ｂ…仕切壁、１３８ｃ…仕切壁、１３９ａ…ボス、１３９ｂ…ボス、１３９ｃ…ボス、１３９ｄ…ボス、１３９ｅ…ボス、１３９ｆ…ボス、１３９ｇ…ボス、１３９ｈ…ボス、１４０…内装部材、１４０ａ…壁面部、１４０ｂ…底面部、１４１…フランジ、１４２ａ…爪受穴、１４２ｂ…爪受穴、１４２ｃ…爪受穴、１４２ｄ…爪受穴、１４２ｅ…切欠部、１４２ｆ…切欠部、１４２ｇ…切欠部、１４２ｈ…切欠部、１４３ａ…スクリュ穴、１４３ｂ…スクリュ穴、１４４ａ…リブ、１４４ｂ…リブ、１５０…クリップ、１６０…スクリュ、１７０…エンジン
【図１】
0005888086.tif 000002
【図２】
0005888086.tif 000003
【図３】
0005888086.tif 000004
【図４】
0005888086.tif 000005
【図５】
0005888086.tif 000006
【図６】
0005888086.tif 000007
【図７】
0005888086.tif 000008